(57)【要約】【課題】鉄道の保守、管理を行う際に、保守作業員らに必要な情報を迅速に提供し、保守作業員らが安全に作業を行うことを可能とする保守作業支援システムを提供する。【解決手段】保守作業支援システム１は、保守作業員Ｗが携帯する携帯端末１０と、入力された位置Ｐの情報を、キロ程を含む所定の複数種類の形態の位置の情報に変換可能な位置変換エンジン２１を備えるサーバ２０と、位置の情報と対応付けられた情報が蓄積されたデータベース３０とを備え、サーバ２０は、携帯端末１０で入力された位置Ｐの情報や、測位手段１２により測位された携帯端末１０の位置Ｐの情報を、位置変換エンジン２１で複数種類の形態の位置の情報に変換し、データベース３０から、変換した位置から所定の範囲内にある位置の情報と対応付けられている情報を検索して読み出して携帯端末１０に送信し、携帯端末１０は、送信されてきた情報を報知する。【選択図】図１
2017226298.tif 000002
【特許請求の範囲】
【請求項１】
保守作業員が携帯する携帯端末と、
入力された位置の情報を、キロ程を含む所定の複数種類の形態の位置の情報に変換可能な位置変換エンジンを備えるサーバと、
前記複数種類の形態の位置の情報のうちのいずれかの形態の位置の情報と対応付けられた情報が蓄積されたデータベースと、
を備え、
前記サーバは、前記携帯端末で入力された位置の情報、または前記携帯端末に内蔵された測位手段により測位された前記携帯端末の位置の情報を、前記位置変換エンジンで前記複数種類の形態の位置の情報に変換し、前記データベースから、変換した前記位置から所定の範囲内にある位置の情報と対応付けられている前記情報を検索して読み出し、読み出した前記情報を前記携帯端末に送信し、
前記携帯端末は、送信されてきた前記情報を報知することを特徴とする保守作業支援システム。
【請求項２】
前記携帯端末は、表示画面を備え、
前記サーバは、読み出した前記情報を、前記位置を含む部分の地図情報とともに前記携帯端末に送信し、
前記携帯端末は、送信されてきた前記地図情報に基づいて前記表示画面上に前記位置を含む地図を表示するとともに、送信されてきた前記情報に対応付けられている位置の情報に基づいて前記地図上に前記情報を所定の仕方で表示することで前記情報を報知することを特徴とする請求項１に記載の保守作業支援システム。
【請求項３】
前記データベースは、保守作業員が注意を要する異常箇所の情報が蓄積された異常箇所データベースを備え、
前記携帯端末は、前記異常箇所データベースから読み出された前記異常箇所の情報が前記サーバから送信されてくると、前記異常箇所の情報を表示画面上に表示し、または前記異常箇所の情報に関する音声を発生させることを特徴とする請求項１または請求項２に記載の保守作業支援システム。
【発明の詳細な説明】
【技術分野】
【０００１】
本発明は、保守作業支援システムに係り、特に鉄道線路の保守作業支援システムに関する。
【背景技術】
【０００２】
鉄道の保守や管理に携わる保守作業員は、例えば設備障害や沿線火災等の異常が発生した際に現場に急行して、故障した設備の修理や交換等の保守作業等を行う。そして、保守作業を支援するためのシステムとしては、例えば特許文献１に記載されているように、保守作業員等が保守作業等を行っている所に列車が進入する等して保守作業員が死傷する事故が発生することを防止するための線路保守作業支援システムが知られている。
【先行技術文献】
【特許文献】
【０００３】
【特許文献１】特開２００５−２９０５５号公報
【発明の概要】
【発明が解決しようとする課題】
【０００４】
ところで、日々の保守・管理業務においても同様であるが、例えば上記のように異常が発生した場合、運転指令から連絡が入ると、保守作業員らは、現場に行く前に、まず、設備系統図や現示系統図等と地図とを突き合わせて、故障した設備の位置や沿線火災等の異常が発生した位置（日々の保守・管理業務においては点検等を行う設備等の位置）等、すなわち現場の位置を特定する。
【０００５】
しかし、現状では、該当する設備等を、長尺な設備系統図や現示系統図等の中から探し出して印刷したり、線路キロ程で記載されている当該設備等の実際の位置を、地図をたどって特定したり、当該設備等の現場に到達するために現場周辺の道路から線路内に進入するための門扉や踏切等を探したりするのに時間がかかっていた。そのため、現場に向かう準備の段階で相当に時間がかかる場合があった。また、土地勘のある保守作業員がいれば、その経験に頼って迅速に現場に急行することも可能であるが、土地勘のある保守作業員でない場合は、やはり準備段階で時間がかかってしまう。
【０００６】
また、例えば、夜間に作業を行う際、駅中間の線路内の現場付近に照明がなくて暗い場合には、保守作業員らの足元が見づらかったり、現場付近の木や設備等の突起物が見えなかったりして、保守作業員らが安全に作業を行うことが容易でない場合も少なくない。
【０００７】
本発明は、上記の問題点を鑑みてなされたものであり、保守作業員らが鉄道の保守、管理を行う際に、保守作業員らに必要な情報を迅速に提供し、保守作業員らが安全に作業を行うことを可能とする保守作業支援システムを提供することを目的とする。
【課題を解決するための手段】
【０００８】
前記の問題を解決するために、本発明の保守作業支援システムは、
保守作業員が携帯する携帯端末と、
入力された位置の情報を、キロ程を含む所定の複数種類の形態の位置の情報に変換可能な位置変換エンジンを備えるサーバと、
前記複数種類の形態の位置の情報のうちのいずれかの形態の位置の情報と対応付けられた情報が蓄積されたデータベースと、
を備え、
前記サーバは、前記携帯端末で入力された位置の情報、または前記携帯端末に内蔵された測位手段により測位された前記携帯端末の位置の情報を、前記位置変換エンジンで前記複数種類の形態の位置の情報に変換し、前記データベースから、変換した前記位置から所定の範囲内にある位置の情報と対応付けられている前記情報を検索して読み出し、読み出した前記情報を前記携帯端末に送信し、
前記携帯端末は、送信されてきた前記情報を報知することを特徴とする。
【発明の効果】
【０００９】
本発明のような方式の保守作業支援システムによれば、保守作業員らが鉄道の保守、管理を行う際に、保守作業員らに必要な情報を迅速に提供し、保守作業員らが安全に作業を行うことが可能となる。
【図面の簡単な説明】
【００１０】
【図１】本実施形態に係る保守作業支援システムの構成を表す図である。
【図２】携帯端末の表示画面上に表示された路線名の一覧の例を表す図である。
【図３】位置変換エンジンの構成例を表す図である。
【図４】携帯端末の表示画面上での地図、保守作業員が入力した位置、設備等の表示例を表す図である。
【図５】携帯端末の表示画面上に表示された異常箇所写真の例を表す図である。
【発明を実施するための形態】
【００１１】
以下、本発明に係る保守作業支援システムの実施の形態について、図面を参照して説明する。ただし、本発明の範囲は、以下の実施例に限定されない。
【００１２】
［保守作業支援システムの構成について］
図１は、本実施形態に係る保守作業支援システムの構成を表す図である。本実施形態では、保守作業支援システム１は、携帯端末１０と、サーバ２０と、各種のデータベース３０とを備えている。
【００１３】
携帯端末１０は、例えばｉＰａｄ（登録商標）等のタブレット端末等で構成されており、表示画面１１を備えている。そして、各保守作業員Ｗ１、Ｗ２、…（以下、一般的に言う場合は保守作業員Ｗという。）がそれぞれ携帯端末１０を携帯するようになっている。また、携帯端末１０は、ＧＰＳ（Global Positioning System）等の測位手段１２を内蔵しており、さらに文字入力機能や通信機能、撮影機能、録音機能等の必要な機能を有している。
【００１４】
また、携帯端末１０は、保守作業員Ｗにより所定の操作がなされると、図２に示すように、表示画面１１上に路線名の一覧Ｌを表示するようになっており、保守作業員Ｗがその一覧Ｌの中から所定の路線名をタッチすることで路線名を選択して入力することができるようになっている。また、路線名が選択されると、携帯端末１０は、表示画面１１上に図示しないテンキー等を表示する。そして、保守作業員Ｗは、テンキー等をタッチすることでキロ程を入力することができるようになっている。
【００１５】
サーバ２０は、例えばクラウド型サーバで構成されており、位置変換エンジン２１を備えている。位置変換エンジン２１は、図３に示すように、位置の情報が、例えば緯度・経度（例えばＧＰＳ情報）や住所、或いは上記のように路線名とキロ程等の形で入力されたり、或いは駅名や構造物名称等の設備情報のいずれの形で入力されても、それを、対応する緯度・経度や住所、路線名とキロ程、設備情報等の所定の複数種類の形態の位置の情報にそれぞれ変換して出力するようになっている。
【００１６】
また、図１に示すように、サーバ２０には、各種のデータベース３０が接続されている。データベース３０には、例えば地図情報が蓄積された地図データベース３１や、設備系統図や現示系統図等の各種系統図の情報が蓄積された系統図データベース３２、各設備の情報（特に門扉や踏切等の線路内への進入可能な設備の情報）が蓄積された設備データベース３３が含まれている。
【００１７】
本実施形態では、データベース３０には、さらに、異常箇所写真の情報が蓄積された異常箇所写真データベース３４１や異常箇所音声の情報が蓄積された異常箇所音声データベース３４２等を含む異常箇所カルテデータベース３４が含まれているが、この点については後で説明する。また、図示を省略するが、例えば、各設備を復旧するためのマニュアル（当該設備の製造元の仕様書等）等が蓄積されたデータベースを備えるように構成することも可能である。
【００１８】
また、本実施形態では、上記の各データベースに蓄積されている各情報は、位置変換エンジン２１で変換可能な複数種類の形態の位置の情報（すなわち緯度・経度、住所、路線名とキロ程等）のうちのいずれかの形態の位置の情報と対応付けられている。
【００１９】
そして、サーバ２０は上記のような位置変換エンジン２１を備えているため、下記のようにサーバ２０にどのような形態の位置の情報が送信されてきても（すなわち位置の情報が緯度・経度、住所、路線名とキロ程、設備情報等のどのような形で入力されても）、位置変換エンジン２１が、その位置の情報を、全ての形態の位置の情報にそれぞれ変換する。そのため、下記のようにサーバ２０がデータベース３０を検索する際に、各データベースに蓄積されている情報にどのような形態の位置の情報が対応付けられていても、各情報を的確に検索することが可能となる。
【００２０】
［サーバと携帯端末での処理について］
一方、例えば保守作業員Ｗが携帯端末１０上で上記のようにして路線名やキロ程を入力する等して位置の情報を入力し、入力された位置の情報が送信されてくると、サーバ２０は、位置変換エンジン２１に当該位置の情報を入力して、複数種類の形態の位置の情報に変換させる。また、携帯端末１０に内蔵された測位手段１２が自動的に当該携帯端末１０の位置を測位し、測位された当該携帯端末１０の位置の情報が送信されてきた場合も、サーバ２０は、位置変換エンジン２１に当該位置の情報を入力して、複数種類の形態の位置の情報に変換させる。
【００２１】
そして、サーバ２０は、データベース３０の各データベースを検索して、位置変換エンジン２１により変換された位置から所定の範囲内にある位置の情報と対応付けられている情報（地図や設備等の情報）を読み出して携帯端末１０に送信する。そして、携帯端末１０は、サーバ２０から送信されてきた前記情報を報知するようになっている。
【００２２】
［作用］
次に、本実施形態に係る保守作業支援システム１の作用について説明する。
【００２３】
［ケース１］
例えば、保守作業員Ｗは、携帯端末１０を操作して、日々の保守・管理業務で保守等を行う対象の設備や運転指令から異常等の連絡があった設備の、設備名等の設備情報や当該設備が設けられている路線名とキロ程（或いは緯度・経度や住所等でもよい。）等の位置の情報を入力する。携帯端末１０は、上記の入力があると、入力された位置の情報をサーバ２０に送信する。
【００２４】
サーバ２０は、携帯端末１０から入力された位置の情報が送信されてくると、位置変換エンジン２１に当該位置の情報を入力して、複数種類の形態の位置の情報に変換させる。そして、サーバ２０は、データベース３０の各データベースを検索して、位置変換エンジン２１により変換された位置から所定の範囲内（例えば１０ｋｍ以内）にある位置の情報と対応付けられている情報（地図情報や設備情報等）を読み出し、位置変換エンジン２１により変換された位置を含む部分の地図情報とともに、読み出した各情報（対応付けられている位置の情報を含む。）を携帯端末１０に送信する。
【００２５】
携帯端末１０は、サーバ２０から地図情報や読み出した各情報が送信されてくると、図４に示すように、まず、送信されてきた地図情報に基づいて表示画面１１上に当該位置を含む地図Ｍを表示する。この場合、携帯端末１０は、例えば、保守作業員Ｗが入力した位置の情報（例えば路線名とキロ程）に対応する位置Ｐを、地図Ｍ上にピンを立てた状態で見やすく表示する。
【００２６】
また、携帯端末１０は、それとともに、送信されてきた各情報に対応付けられている位置の情報に基づいて、当該地図Ｍ上に各情報を表すマークＩ１、Ｉ２、…をそれぞれ、例えば所定の形状や色、大きさ等で表示するようになっている。その際、例えば門扉や踏切等の、現場周辺の道路から線路内に進入することを可能とする設備のマーク（例えば門扉のマークＩ１や踏切のマークＩ３）を、他の設備等のマークとは異なる形状や色、大きさ等で表示するように構成することが可能である。
【００２７】
携帯端末１０は、このようにして、サーバ２０から送信されてきた情報（すなわち上記の場合には設備の情報Ｉ１、Ｉ２、…や地図情報）を保守作業員Ｗに報知するようになっている。
【００２８】
そして、このように、携帯端末１０が、表示画面１１上に地図Ｍを自動的に表示し、その地図Ｍ上に、保守作業員Ｗが入力した位置Ｐとともに、その近傍にある各設備の情報Ｉ１、Ｉ２、…を表示するように構成することで、保守作業員Ｗは、これから保守等を行う設備の位置Ｐを入力するだけで、当該位置Ｐやその近傍にある設備（マークＩ１、Ｉ２、…）を地図Ｍ上に表示させることが可能となる。
【００２９】
そのため、保守作業員Ｗは、表示画面１１に表示させた地図Ｍ上の表示を見るだけで、保守作業員Ｗが入力した位置Ｐ（すなわちこれから保守等を行う対象の設備や運転指令から異常等の連絡があった設備）の地図Ｍ上の位置や、その近傍にどのような設備Ｉ１、Ｉ２、…がどの位置にあるか等を明確かつ容易に認識することが可能となる。
【００３０】
また、保守作業員Ｗが携帯端末１０上で位置Ｐを入力すると、サーバ２０が入力された位置Ｐの近傍にある設備Ｉ１、Ｉ２、…等を迅速に割り出す。そのため、保守作業員Ｗが携帯端末１０に位置Ｐを入力すると、それらの情報が短時間で携帯端末１０の表示画面１１上に表示される。
【００３１】
そのため、保守作業員Ｗは保守作業の準備作業を非常に迅速に（すなわち短期間に）行うことが可能となる。また、前述した現状の場合のように、保守作業員Ｗが、現場に行く前に、長尺な設備系統図や現示系統図等の中から探し出して印刷したり、線路キロ程で記載されている当該設備等の実際の位置を、地図をたどって特定したり、当該設備等の現場に到達するために現場周辺の道路から線路内に進入するための門扉や踏切等を探したりする手間が省ける。
【００３２】
さらに、保守作業員Ｗが入力した位置Ｐが、携帯端末１０の表示画面１１上に表示された地図Ｍ上に表示されるため、当該位置Ｐ付近の線路の曲がり具合等に基づいて、列車見張り員を何人にするか等を事前に的確に判断することも可能となる。
【００３３】
なお、保守作業員Ｗが携帯端末１０に対して所定の操作を行うことで、サーバ２０が系統図データベース３２から設備系統図や現示系統図等の各種系統図の情報を読み出したり、他のデータベースからマニュアルを読み出して携帯端末１０に送信することで、保守作業員Ｗは、携帯端末１０の表示画面１１上にそれらを表示させて見ることが可能となり、実際に長尺な設備系統図等を開く必要がなくなり、全てを携帯端末１０上で行うことが可能となる。
【００３４】
また、図４に示したように携帯端末１０の表示画面１１上に設備のマークＩ１、Ｉ２、…等を表示するように構成する場合、図示を省略するが、例えば、設備のマークＩ１、Ｉ２、…の近傍等に設備名やそれを表す符号等を表示したり、或いは、設備のマークＩ１等をクリックするとウインドウが開くように構成し、そこに設備名や説明等の必要な情報を表示するように構成することも可能である。
【００３５】
さらに、保守作業員Ｗが設備のマークＩ１等に対して所定の操作を行うことで、当該設備が設けられている場所のストリートビュー等の、当該設備に関する画像を表示することができるように構成することも可能である。このように構成すれば、例えば保守作業員Ｗらが乗って行った車を停車させるスペースがあるかや、どこから線路内に進入できるか等を事前に知ることが可能となる。
【００３６】
また、保守作業員Ｗが設備のマークＩ１等をクリックする等して指定することで、携帯端末１０が、指定された位置（上記の場合は設備のマークＩ１等の実空間上の位置）と測位手段１２が測位した携帯端末１０の現在地とに基づいて、現在地から指定された位置までの経路を表示するように構成することも可能である。
【００３７】
なお、上記の現場の状況把握に必要な資料やデータの入手、すなわち携帯端末１０上での各種系統図やマニュアル等の表示や、設備のマークＩ１等の必要な情報の表示、ストリートビュー等の当該設備に関する画像の表示、現在地から目的地までの経路表示等の処理は、必ずしも保守作業の準備の段階で行う必要はなく、例えば保守作業員Ｗらが現場への移動中に行うことが可能である。
【００３８】
［ケース２］
一方、本実施形態では、サーバ２０は、上記のように保守作業員Ｗが携帯端末１０上で路線名やキロ程を入力する等して位置Ｐの情報を入力した場合だけでなく、前述したように、携帯端末１０に内蔵された測位手段１２が自動的に当該携帯端末１０の位置を測位し、測位した当該携帯端末１０の位置の情報が送信されてきた場合も、上記と同様にして、データベース３０の各データベースを検索して、当該位置から所定の範囲内にある位置の情報と対応付けられている情報（地図や設備等の情報）を読み出して携帯端末１０に送信する。
【００３９】
例えば、図１に示したように、異常箇所カルテデータベース３４の異常箇所写真データベース３４１に異常箇所写真の情報が蓄積されていたり、異常箇所音声データベース３４２に異常箇所音声の情報（いずれも位置の情報が対応付けられている。）が蓄積されている場合、例えば線路内に立ち入った保守作業員Ｗが携帯している携帯端末１０から位置の情報が送信されてくると、サーバ２０は、送信されてきた携帯端末１０の位置から所定の範囲内（この場合は例えば１０ｍ等）に、上記の異常箇所写真や異常箇所音声の情報があれば、それを読み出し、読み出した情報を携帯端末１０に自動的に（すなわち保守作業員Ｗの操作がなくても）送信する。
【００４０】
なお、この場合、異常箇所とは、例えば図５に示すような線路内に木の枝等の突起物や立杭等の設備がある箇所や、線路内の工事中の箇所、或いは線路内で退避場所がないような箇所等の、保守作業員Ｗらが注意を要する箇所をいう。また、異常箇所写真の情報は、そのような異常箇所を撮影した写真Ｆの情報を表し（例えば図５参照）、異常箇所音声の情報は、そのような異常箇所に関する音声（すなわち例えば異常箇所の状態等を保守作業員Ｗらが説明した録音音声）の情報を表す。
【００４１】
そして、携帯端末１０は、サーバ２０から異常箇所写真Ｆや異常箇所音声の情報が送信されてくると、表示画面１１上に異常箇所写真Ｆを自動的に表示したり、異常箇所音声を自動的に再生したりする。携帯端末１０は、このようにして、サーバ２０から送信されてきた情報（すなわちこの場合には異常箇所写真Ｆや異常箇所音声）を保守作業員Ｗに報知するようになっている。
【００４２】
そして、上記のように構成すれば、例えば、夜間、保守作業を行うために線路内を現場に向かっている保守作業員Ｗから例えば１０ｍ以内に上記のような異常箇所があれば、保守作業員Ｗが携帯端末１０を操作しなくても、上記のようにして携帯端末１０の表示画面１１上に異常箇所写真Ｆが自動的に表示されたり、異常箇所音声が自動的に再生されたりする。
【００４３】
そのため、例えば、保守作業員Ｗが、暗い線路内を現場に向かっている際に、異常箇所を目視できずに異常箇所に気付かない場合であっても、携帯端末１０上に異常箇所写真Ｆが自動的に表示されたり異常箇所音声が自動的に再生されたりするため、保守作業員Ｗは近くに異常箇所があることを的確に認識することが可能となる。また、それとともに、どのような異常箇所があるかを的確に認識することが可能となる。
【００４４】
そのため、線路内に突き出た木の枝や立杭等の設備を適切に避けたり、工事中の所を避けたり、或いは退避場所がない所では一旦立ち止まって列車が来ないことを確認して通過する等の適切な対応を取ることが可能となり、保守作業員Ｗらが安全に現場に向かったり、現場の近くに異常箇所がある場合にはそれを的確に認識することが可能となり、保守作業員Ｗらが安全に作業を行うことが可能となる。
【００４５】
なお、この場合、携帯端末１０上に異常箇所写真Ｆを表示する際に、携帯端末１０が警告音を鳴らすように構成することも可能である。携帯端末１０が振動するように構成してもよい。そして、このように、携帯端末１０で異常箇所音声を再生したり警告音を鳴らしたりして音声を発生させることで、近傍に異常箇所がある場合に、適切に保守作業員Ｗらの注意を喚起することが可能となる。
【００４６】
また、保守作業員Ｗらは、現場に向かう途中や現場付近で異常箇所を発見したが、それが携帯端末１０上に表示される等しない場合には、その異常箇所の情報が、データベース３０の異常箇所写真データベース３４１や異常箇所音声データベース３４２に蓄積されていないことが分かる。
【００４７】
そのため、そのような場合には、本実施形態では上記のように携帯端末１０が撮影機能や録音機能を有しているため、携帯端末１０でその異常箇所を撮影したり、保守作業員Ｗがその異常箇所を口頭で説明して携帯端末１０に音声を録音させて、その写真や音声をサーバ２０に送信して、異常箇所写真Ｆや異常箇所音声として異常箇所写真データベース３４１や異常箇所音声データベース３４２に蓄積させるように構成することが可能である。
【００４８】
このように構成すれば、異常箇所が新たに発見された場合にそれをデータベースに登録して随時更新することが可能となる。また、例えば、携帯端末１０上に異常箇所写真Ｆが表示されたり異常箇所音声が再生されたが、異常箇所が改善されて異常箇所でなくなっているような場合には、保守作業員Ｗが携帯端末１０を操作して、サーバ２０に異常箇所写真データベース３４１や異常箇所音声データベース３４２から当該異常箇所に関する写真や音声の情報を削除するように構成することも可能である。
【００４９】
なお、本実施形態では、図１に示した異常箇所カルテデータベース３４は、上記の異常箇所写真データベース３４１や異常箇所音声データベース３４２にどのような情報が蓄積されているかを管理している。また、異常箇所カルテデータベース３４には、このほか、例えば異常箇所として異常箇所写真データベース３４１や異常箇所音声データベース３４２に登録されている設備の種別や名称、設置場所（すなわち緯度・経度等）、緊急度（すなわち情報の重要度を表し、異常箇所写真データベース３４１や異常箇所音声データベース３４２に蓄積されている情報を共有する社員等の人員の範囲を表す。）等の情報が蓄積されている。
【００５０】
［効果］
以上のように、本実施形態に係る保守作業支援システム１によれば、保守作業員Ｗらが鉄道の保守、管理を行う際に、保守作業員Ｗらに必要な情報を迅速に提供することが可能となるとともに、保守作業員Ｗらが安全に保守作業を行うことが可能となる。
【００５１】
そのため、保守作業員Ｗらが、日々の保守・管理業務を行う際や、異常が発生して運転指令から連絡が入った際に、現場に行く前の準備段階で長尺な設備系統図や現示系統図等の中から現場を探し出して印刷したり、地図をたどって現場の位置を特定したり、線路内に進入するための門扉や踏切等を探したりする必要がなくなり、サーバ２０により必要な情報が迅速に提供されるため、速やかに現場に急行して保守作業を行うことが可能となる。
【００５２】
また、夜間に保守作業を行うような場合に、保守作業員Ｗが、暗くて異常箇所を目視できずに異常箇所に気付かない場合であっても、携帯端末１０上に異常箇所写真Ｆが自動的に表示されたり異常箇所音声が自動的に再生されたりする。そのため、保守作業員Ｗは、近くに異常箇所があることを的確に認識し、どのような異常箇所があるかを的確に認識して、安全に保守作業を行うことが可能となる。
【００５３】
なお、本発明が上記の実施形態に限定されず、本発明の趣旨を逸脱しない限り、適宜変更可能であることは言うまでもない。
【符号の説明】
【００５４】
１  保守作業支援システム
１０  携帯端末
１１  表示画面
１２  測位手段
２０  サーバ
２１  位置変換エンジン
３０  データベース
３４１  異常箇所写真データベース（異常箇所データベース）
３４２  異常箇所音声データベース（異常箇所データベース）
Ｍ  地図
Ｐ  位置
Ｗ  保守作業員
【図１】
2017226298.tif 000003
【図２】
2017226298.tif 000004
【図３】
2017226298.tif 000005
【図４】
2017226298.tif 000006
【図５】
2017226298.tif 000007